(57)【要約】【課題】スキャナにおいて、簡素で安価な構成によって、ユーザの手でスキャナリッドを開いた状態に保持しておく必要をなくし、原稿をセットするときの利便性を向上する。【解決手段】スキャナ１は、原稿が載置される原稿台２と、原稿を押さえるスキャナリッド３と、原稿の画像を読取る画像読取装置４と、スキャナリッド３を開く方向に付勢するリッド付勢用バネ８と、スキャナリッド３を閉じた状態に保持するためのフック９、フックホルダ１０と、スキャナリッド３を開くために操作される押しボタン１２とを備える。スキャナリッド３は、フック９がフックホルダ１０に係止されることにより、リッド付勢用バネ８の力に抗して閉じた状態に保持される。押しボタン１２を押下すると、フックホルダ１０が可動して、フック９がフックホルダ１０から係止解除され、スキャナリッド３は、リッド付勢用バネ８の力によって、自動的に開いて、開いた状態に保持される。【選択図】図１
2008060983.tif 000002
【特許請求の範囲】
【請求項１】
原稿が載置される原稿台と、前記原稿台に載置される原稿の画像を読取るための画像読取装置と、前記原稿台を支持すると共に前記画像読取装置を収納する筐体と、前記原稿台の原稿載置面に対して開閉可能なように前記筐体にヒンジ部を介して回動自在に支持される、前記原稿台に載置される原稿を押さえるためのスキャナリッドと、を備えたスキャナにおいて、
前記スキャナリッドを開く方向に付勢するリッド付勢手段と、
前記スキャナリッドを前記リッド付勢手段による付勢に抗して閉じた状態に保持するリッド保持手段と、
前記スキャナリッドを前記リッド保持手段による保持状態から解除して開くための、ユーザによって操作されるリッド開放操作手段とを備え、
前記リッド付勢手段は、
前記ヒンジ部に設けられ、前記筐体に一端側が当接されると共に前記スキャナリッドに他端側が当接されて、前記筐体とスキャナリッドとの間に相互に離反する方向の力を作用させるリッド付勢用バネを有し、
前記リッド保持手段は、
前記スキャナリッドに設けられた長さの調整が可能なフックと、
前記筐体に設けられ、前記スキャナリッドを閉じたときに前記フックを前記リッド付勢用バネの力に抗して係止するためのフックホルダと、
前記フックホルダを前記フックが係止される位置に保持するホルダ保持用バネとを有し、
前記リッド開放操作手段は、
前記筐体にユーザによって押下可能に設けられ、押下されることにより、前記フックホルダを前記ホルダ保持用バネの力に抗して可動させて、前記フックの係止を解除する押しボタンを有し、
前記押しボタンを押下することにより、前記スキャナリッドが自動的に開いて、前記スキャナリッドが開いた状態に保持されることを特徴とするスキャナ。
【請求項２】
原稿が載置される原稿台と、前記原稿台に載置される原稿の画像を読取るための画像読取装置と、前記原稿台を支持すると共に前記画像読取装置を収納する筐体と、前記原稿台の原稿載置面に対して開閉可能なように前記筐体にヒンジ部を介して回動自在に支持される、前記原稿台に載置される原稿を押さえるためのスキャナリッドと、を備えたスキャナにおいて、
前記スキャナリッドを開く方向に付勢するリッド付勢手段と、
前記スキャナリッドを前記リッド付勢手段による付勢に抗して閉じた状態に保持するリッド保持手段と、
前記スキャナリッドを前記リッド保持手段による保持状態から解除して開くための、ユーザによって操作されるリッド開放操作手段とを備え、
前記リッド開放操作手段を操作することにより、前記スキャナリッドが自動的に開いて、前記スキャナリッドが開いた状態に保持されることを特徴とするスキャナ。
【請求項３】
前記リッド保持手段は、前記スキャナリッドを閉じたときに前記筐体に係止される、前記スキャナリッドに設けられた長さの調整が可能なフックを有することを特徴とする請求項２に記載のスキャナ。
【発明の詳細な説明】
【技術分野】
【０００１】
本発明は、原稿に描かれた画像を読取るスキャナに関するものである。
【背景技術】
【０００２】
従来から、スキャナは、画像の描かれた原稿を原稿台に載置して、その原稿をスキャナリッド（原稿押さえ板）により押さえ、そして、その原稿に描かれた画像を画像読取装置により読取るようになっている。原稿台は、筐体の上面に支持されており、画像読取装置は、筐体内に収納されている。スキャナリッドは、原稿台の原稿載置面に対して開閉可能なように筐体の上面にヒンジ部を介して回動自在に支持されており、スキャナリッドを開くことより、原稿台に原稿を載置することができ、スキャナリッドを閉じることにより、原稿台に載置された原稿を押さえるようになっている。スキャナリッドは、スキャナリッドの自重により、自動的に閉じるようになっている。
【０００３】
また、スキャナリッドを一定角度以上開くと、スキャナリッドを開方向に付勢して、スキャナリッドを開いた状態に保持し、スキャナリッドを一定角度以下まで閉じると、スキャナリッドを閉方向に付勢して、スキャナリッドを閉じた状態に保持するようにしたスキャナが知られている（例えば特許文献１参照）。
【０００４】
一方、原稿台を装置本体に対して開閉可能に構成したスキャナにおいて、スキャナリッドが開いているときには、原稿台の開放を禁止し、スキャナリッドが閉じられているときにのみ、原稿台の開放を可能にしたものが知られている（例えば特許文献２参照）。また、画像読取装置が収納された画像読取部を画像印刷装置が収納された画像形成部の上に配置し、画像読取部を画像形成部に対して開閉可能に構成したスキャナにおいて、操作手段の操作により画像読取部を開放可能／開放禁止するようにしたものが知られている（例えば特許文献３参照）。また、画像読取装置が収納された画像読取部を装置本体に対して開閉可能に構成したスキャナにおいて、スキャナリッドが開いているときには、画像読取部の開放を禁止し、スキャナリッドが閉じられているときにのみ、画像読取部の開放を可能にしたものが知られている（例えば特許文献４参照）。また、スキャナリッドの高さを原稿の厚さに応じて変更可能にしたスキャナが知られている（例えば特許文献５参照）。
【特許文献１】特開平８−１０１４６６号公報
【特許文献２】特開２００２−３１８６２号公報
【特許文献３】特開２００３−１１８２１８号公報
【特許文献４】特開２００１−２４２５６３号公報
【特許文献５】特開２００４−２７２０２０号公報
【発明の開示】
【発明が解決しようとする課題】
【０００５】
ところが、上述した従来のスキャナにおいては、スキャナリッドが自重で自動的に閉じるようになっているため、ユーザは、原稿を原稿台にセットするとき、片方の手でスキャナリッドを開いて保持しておく必要がある。つまり、ユーザは、原稿を原稿台にセットするとき、スキャナリッドを開いた状態に保持しておくために片方の手が塞がれるため、残りの片方の手で原稿を原稿台にセットしなければならず、利便性が悪い。また、上述した特許文献１に記載のスキャナでは、スキャナリッドを一定角度以上開いたときにスキャナリッドを開方向に付勢すると共に、スキャナリッドを一定角度以下まで閉じたときにスキャナリッドを閉方向に付勢するようにしなければならず、そのような構造は複雑であると共に精密性が要求され、コストが高くなる。なお、上述した特許文献２及び特許文献５に開示の内容を適用したとしても、上記の課題を解決することはできない。
【０００６】
本発明は、上記課題を解決するためになされたものであり、簡素で安価な構成によって、ユーザの手でスキャナリッドを開いた状態に保持しておく必要がなく、原稿をセットするときの利便性を向上することができるスキャナを提供することを目的とする。
【課題を解決するための手段】
【０００７】
上記目的を達成するために請求項１の発明は、原稿が載置される原稿台と、原稿台に載置される原稿の画像を読取るための画像読取装置と、原稿台を支持すると共に画像読取装置を収納する筐体と、原稿台の原稿載置面に対して開閉可能なように筐体にヒンジ部を介して回動自在に支持される、原稿台に載置される原稿を押さえるためのスキャナリッドと、を備えたスキャナにおいて、スキャナリッドを開く方向に付勢するリッド付勢手段と、スキャナリッドをリッド付勢手段による付勢に抗して閉じた状態に保持するリッド保持手段と、スキャナリッドをリッド保持手段による保持状態から解除して開くための、ユーザによって操作されるリッド開放操作手段とを備え、リッド付勢手段は、ヒンジ部に設けられ、筐体に一端側が当接されると共にスキャナリッドに他端側が当接されて、筐体とスキャナリッドとの間に相互に離反する方向の力を作用させるリッド付勢用バネを有し、リッド保持手段は、スキャナリッドに設けられた長さの調整が可能なフックと、筐体に設けられ、スキャナリッドを閉じたときにフックをリッド付勢用バネの力に抗して係止するためのフックホルダと、フックホルダをフックが係止される位置に保持するホルダ保持用バネとを有し、リッド開放操作手段は、筐体にユーザによって押下可能に設けられ、押下されることにより、フックホルダをホルダ保持用バネの力に抗して可動させて、フックの係止を解除する押しボタンを有し、押しボタンを押下することにより、スキャナリッドが自動的に開いて、スキャナリッドが開いた状態に保持されるものである。
【０００８】
請求項２の発明は、原稿が載置される原稿台と、原稿台に載置される原稿の画像を読取るための画像読取装置と、原稿台を支持すると共に画像読取装置を収納する筐体と、原稿台の原稿載置面に対して開閉可能なように筐体にヒンジ部を介して回動自在に支持される、原稿台に載置される原稿を押さえるためのスキャナリッドと、を備えたスキャナにおいて、スキャナリッドを開く方向に付勢するリッド付勢手段と、スキャナリッドをリッド付勢手段による付勢に抗して閉じた状態に保持するリッド保持手段と、スキャナリッドをリッド保持手段による保持状態から解除して開くための、ユーザによって操作されるリッド開放操作手段とを備え、リッド開放操作手段を操作することにより、スキャナリッドが自動的に開いて、スキャナリッドが開いた状態に保持されるものである。
【０００９】
請求項３の発明は、請求項２に記載のスキャナにおいて、リッド保持手段は、スキャナリッドを閉じたときに筐体に係止される、スキャナリッドに設けられた長さの調整が可能なフックを有するものである。
【発明の効果】
【００１０】
請求項１の発明によれば、ユーザが押しボタンを押下すると、スキャナリッドに設けられたフックが筐体に設けられたフックホルダに係止されている状態から解除され、スキャナリッドは、リッド付勢用バネの力によって自動的に開いて、開いた状態に保持される。従って、ユーザは、原稿を原稿台にセットするとき、ユーザの手でスキャナリッドを開いた状態に保持しておく必要がなく、これにより、ユーザは、両手を使って原稿を原稿台にセットすることができ、原稿をセットするときの利便性が向上する。しかも、簡素で安価な構成によって、スキャナリッドが自動的に開いて、開いた状態に保持される構成を実現できる。また、ユーザがスキャナリッドを閉じると、スキャナリッドに設けられたフックが筐体に設けられたフックホルダに係止され、スキャナリッドは、閉じた状態に保持される。従って、ユーザは、原稿を原稿台にセットした後、ユーザの手でスキャナリッドを閉じた状態に保持して原稿を押さえておく必要がなく、利便性がより向上する。しかも、フックの長さを調整することにより、様々な厚みの原稿に対応して、スキャナリッドを閉じた状態に保持して原稿を押さえておくことができ、利便性がより向上する。
【００１１】
請求項２の発明によれば、ユーザがリッド開放手段を操作すると、スキャナリッドは、リッド保持手段による保持状態から解除され、リッド付勢手段の付勢力によって自動的に開いて、開いた状態に保持される。従って、ユーザは、原稿を原稿台にセットするとき、ユーザの手でスキャナリッドを開いた状態に保持しておく必要がなく、これにより、ユーザは、両手を使って原稿を原稿台にセットすることができ、原稿をセットするときの利便性が向上する。しかも、簡素で安価な構成によって、スキャナリッドが自動的に開いて、開いた状態に保持される構成を実現できる。
【００１２】
請求項３の発明によれば、ユーザがスキャナリッドを閉じると、スキャナリッドに設けられたフックが筐体に係止されて、スキャナリッドは、閉じた状態に保持される。従って、ユーザは、原稿を原稿台にセットした後、ユーザの手でスキャナリッドを閉じた状態に保持して原稿を押さえておく必要がなく、利便性がより向上する。しかも、フックの長さを調整することにより、様々な厚みの原稿に対応して、スキャナリッドを閉じた状態に保持して原稿を押さえておくことができ、利便性がより向上する。
【発明を実施するための最良の形態】
【００１３】
以下、本発明を具体化した実施形態によるスキャナについて図面を参照して説明する。図１（ａ）（ｂ）は、スキャナの構成を示す。スキャナ１は、原稿に描かれている画像を読取って、その読取った画像を印刷用紙に印刷する装置である。
【００１４】
スキャナ１は、原稿が載置される原稿台２と、原稿台２に戴置される原稿を押さえるためのスキャナリッド（原稿押さえ板）３と、原稿台２に載置される原稿の画像を読取るための画像読取装置４と、印刷用紙が装填されるペーパレスト５と、スキャナ１の各種動作を指示するためのユーザによって操作されるキー操作部６と、これらを収納、支持する筐体７とを備える。また、スキャナ１は、スキャナリッド３を開く方向に付勢するリッド付勢手段を成すリッド付勢用バネ８と、スキャナリッド３を閉じた状態に保持するリッド保持手段を成すフック９、フックホルダ１０、及びホルダ保持用バネ１１と、スキャナリッド３を開くためのユーザによって操作されるリッド開放操作手段を成す押しボタン１２等を備える。
【００１５】
原稿台２は、透明板から成っており、筐体７の上面に支持されている。原稿は、ユーザの手によって、画像が描かれている面を下向きにして原稿台２に載置される。スキャナリッド３は、原稿台２の原稿載置面に対して開閉可能なように、筐体７の上面にヒンジ部２０を介して回動自在に支持されている。スキャナリッド３を開くことにより、原稿台２に原稿を載置することができ、スキャナリッド３を閉じることにより、原稿台２に載置された原稿がスキャナリッド３によって原稿台２上に押さえられる。
【００１６】
画像読取装置４は、画像の濃淡を光学的に検出して画像を読取る光学式の画像センサ４１と、画像センサ４１を移動させる不図示のセンサ移動機構等により構成されており、筐体７内に収納されている。画像読取装置４は、画像センサ４１が原稿台２に沿って移動して、原稿台２に載置されている原稿の画像を読取る。
【００１７】
ペーパレスト５は、筐体７の背部に設けられている。印刷用紙は、ペーパレスト５に装填される。ペーパレスト５に装填された印刷用紙は、不図示の用紙搬送機構により筐体７内を搬送され、筐体７内の不図示の画像印刷装置により画像が印刷されて、排紙口７１から排出される。
【００１８】
リッド付勢用バネ８は、ヒンジ部２０に設けられており、筐体７とスキャナリッド３との間に相互に離反する方向の力を作用させている。スキャナリッド３は、外力が作用していないときには、リッド付勢用バネ８の力によって、リッド付勢用バネ８の力とスキャナリッド３の重量による自重とが釣合った状態で、開いた状態に保持される（図１（ａ）参照）。
【００１９】
フック９は、スキャナリッド３の下面に設けられており、フックホルダ１０は、筐体７内に設けられている。筐体７の上面には、フック９が挿入されるフック孔７５が形成されている。フック９は、スキャナリッド３を閉じたときに、フック孔７５に挿入されて、フックホルダ１０により係止される。フック９は、長さの調整が可能になっている。フックホルダ１０は、可動自在になっており、ホルダ保持用バネ１１は、フックホルダ１０をフック９が係止される位置に弾性的に保持している。開いた状態にあるスキャナリッド３は、ユーザがスキャナリッド３を閉じることによって、フック９がフックホルダ１０により係止されて、リッド付勢用バネ８の力に抗して閉じた状態に保持される（図１（ｂ）参照）。
【００２０】
押しボタン１２は、筐体７の上面のキー操作部６付近に設けられており、ユーザによって押下可能になっている。押しボタン１２は、押下されることにより、フックホルダ１０を可動して、フックホルダ１０によるフック９の係止を解除する。閉じた状態にあるスキャナリッド３は、ユーザが押しボタン１２を押下することによって、フックホルダ１０によるフック９の係止が解除されて、リッド付勢用バネ８の力によって自動的に開いて、開いた状態に保持される（図１（ａ）参照）。
【００２１】
図２（ａ）（ｂ）は、上記ヒンジ部２０及びリッド付勢用バネ８の構成を示す。ヒンジ部２０は、筐体側ヒンジ部２１と、リッド側ヒンジ部２２と、ヒンジピン２３とにより構成されている。筐体側ヒンジ部２１は、筐体７と一体的に形成されており、リッド側ヒンジ部２２は、スキャナリッド３と一体的に形成されている。ヒンジピン２３は、筐体側ヒンジ部２１及びリッド側ヒンジ部２２の各々に形成されたピン孔に挿通されている。従って、スキャナリッド３は、ヒンジピン２３を中心として回動自在に筐体７に支持されている。
【００２２】
リッド付勢用バネ８は、１本の線状部材から成り、螺旋状に巻かれた螺旋部を有し、両端が略真直ぐに伸びた形状をしている。リッド付勢用バネ８は、螺旋状に巻かれた螺旋部がヒンジピン２３に嵌着され、一端側が筐体７に当接されると共に、他端側がスキャナリッド３に当接されて、筐体７とスキャナリッド３との間に相互に離反する方向の力（すなわちスキャナリッド３を開く方向の力）を作用させている。スキャナリッド３は、このリッド付勢用バネ８の力によって、上述のように外力が作用していないときに開いた状態に保持される。
【００２３】
図３（ａ）（ｂ）（ｃ）（ｄ）は、上記フック９の構成を示す。フック９は、スキャナリッド３の下面に設けられたフック支持部３１に、上下方向にスライド可能、かつ、固定可能に支持されている。フック支持部３１は、スキャナリッド３と一体的に形成されており、フック支持部３１の側面には、２つの支持突部３１ａが一体的に形成されている。２つの支持突部３１ａは、上下方向に配列されている。
【００２４】
フック９には、フック支持部３１の支持突部３１ａに嵌着される嵌着孔９ａが形成されている。嵌着孔９ａは、フック９を上下方向にスライドさせるためのスライド孔９ｂと、フック９を固定するための複数の固定孔９ｃとを有している。スライド孔９ｂは、上下方向に伸びており、固定孔９ｃは、スライド孔９ｂから横方向に分岐し、上下方向に配列されている。
【００２５】
フック９は、嵌着孔９ａがフック支持部３１の支持突部３１ａに嵌着されることにより、フック支持部３１に支持されており、支持突部３１ａがスライド孔９ｂ内にある状態では（図３（ｃ）参照）、上下方向にスライド可能になり、支持突部３１ａが固定孔９ｃ内にある状態では（図３（ａ）（ｄ）参照）、上下方向に固定される。
【００２６】
つまり、フック９は、フック支持部３１に対して横方向にずらすことにより、支持突部３１ａが固定孔９ａ内にある状態とスライド孔９ｂ内にある状態とに切り換えることができ、支持突部３１ａがスライド孔９ｂ内にある状態でフック９を上下方向にスライドさせ、何れかの固定孔９ｃを支持突部３１ａに嵌着させることにより、任意の長さに調整することができる。
【００２７】
図４（ａ）（ｂ）は、上記フック９、フックホルダ１０、ホルダ保持用バネ１１、及び押しボタン１２によるスキャナリッド３の開閉構造を示す。フック９は、上述のようにスキャナリッド３の下面に設けられている。フックホルダ１０は、筐体７内において、ガイド部材７９によって可動自在に支持されている。フックホルダ１０は、フック９が係止される位置とフック９が係止されない位置との間で可動するようになっており、外力が作用していないときには、ホルダ保持用バネ１１の力によって、フック９が係止される位置に保持される。フックホルダ１０は、上下方向には可動せず、横方向にのみ可動するようになっている。フックホルダ１０の上面には、傾斜面１０ａが形成されている。
【００２８】
押しボタン１２は、筐体７に昇降自在に支持されており、ユーザによって押下可能なように、押しボタン１２の上面が筐体７の上面から突出している。押しボタン１２の下面には、フックホルダ１０の傾斜面１０ａを押すための押圧突部１２ａが形成されている。フックホルダ１０の傾斜面１０ａと押しボタン１２の押圧突部１２ａは、摺動自在に接触しており、従って、フックホルダ１０と押しボタン１２は、連動するようになっている。
【００２９】
スキャナリッド３が閉じているとき（図４（ａ）参照）、フックホルダ１０は、ホルダ保持用バネ１１の力によって、フック９が係止される位置に保持されており、フック９は、フックホルダ１０により係止されている。つまり、スキャナリッド３は、フックホルダ１０によりフック９が係止されることによって、上述のリッド付勢用バネ８の力に抗して、閉じた状態に保持される。
【００３０】
スキャナリッド３が閉じているときに押しボタン１２を押下すると（図４（ｂ）参照）、押しボタン１２の押圧突部１２ａによりフックホルダ１０の傾斜面１０ａが押され、フックホルダ１０は、ホルダ保持用バネ１１の力に抗して、フック９が係止されない位置に可動し、フック９は、フックホルダ１０による係止から解除される。従って、閉じた状態にあるスキャナリッド３は、ユーザが押しボタン１２を押下することによって、フックホルダ１０によるフック９の係止が解除され、上述のリッド付勢用バネ８の力によって、自動的に開いて、開いた状態に保持される。
【００３１】
押しボタン１２の押下を解除すると、フックホルダ１０は、ホルダ保持用バネ１１の力により元の位置（フック９が係止される位置）に戻り、押しボタン１２は、フックホルダ１０の傾斜面１０ａによって押圧突部１２ａが押されることにより元の位置に戻る。
【００３２】
開いているスキャナリッド３を閉じるときには、フック９の係止突部９ｄがフックホルダ１０をホルダ保持用バネ１１の力に抗して可動させつつ乗り越え、係止突部９ｄがフックホルダ１０を乗り越えると、フックホルダ１０がホルダ保持用バネ１１の力により元の位置に戻ることによって、フック９がフックホルダ１０に係止される。従って、開いた状態にあるスキャナリッド３は、ユーザがスキャナリッド３を押し下げて閉じることによって、フック９がフックホルダ１０により係止されて、閉じた状態に保持される。
【００３３】
このように、上記構成のスキャナ１によれば、ユーザが押しボタン１２を押下すると、閉じた状態にあるスキャナリッド３は、リッド付勢用バネ８の力によって自動的に開いて、開いた状態に保持される。従って、ユーザは、原稿を原稿台２にセットするとき、ユーザの手でスキャナリッド３を開いた状態に保持しておく必要がなく、これにより、ユーザは、両手を使って原稿を原稿台２にセットすることができ、原稿をセットするときの利便性が向上する。しかも、簡素で安価な構成によって、スキャナリッド３が自動的に開いて、開いた状態に保持される構成を実現できる。
【００３４】
また、ユーザがスキャナリッド３を閉じると、スキャナリッド３は、フック９がフックホルダ１０に係止されることによって、閉じた状態に保持される。従って、ユーザは、原稿を原稿台２にセットした後、ユーザの手でスキャナリッド３を閉じた状態に保持して原稿を押さえておく必要がなく、利便性がより向上する。しかも、フック９は長さの調整が可能であるため、フック９の長さを調整することにより、様々な厚みの原稿に対応して、スキャナリッド３を閉じた状態に保持して原稿を押さえておくことができ、利便性がより向上する。
【００３５】
なお、本発明は、上記実施形態の構成に限られず、種々の変形が可能である。例えば、リッド付勢用バネ８は、上記実施形態の構成に限られず、スキャナリッド３を開く方向に付勢するものであれば、他の構成であってもよく、また、ヒンジ部２０以外の箇所に設けてもよい。フック９、フックホルダ１０、ホルダ保持用バネ１１、及び押しボタン１２は、上記実施形態の構成に限られず、スキャナリッド３を閉じた状態に保持／保持解除できる構成であれば、他の構成であってもよく、また、フック９、フックホルダ１０、ホルダ保持用バネ１１、及び押しボタン１２以外の構成によって、スキャナリッド３を閉じた状態に保持／保持解除するようにしてもよい。フック支持部３１に形成された支持突部３１ａとフック９に形成された嵌着孔９ａに代えて、他の構成によってフック９の長さを調整できるようにしてもよい。
【図面の簡単な説明】
【００３６】
【図１】（ａ）は本発明の一実施形態に係るスキャナの全体構成を示すスキャナリッドを開いた状態の斜視図、（ｂ）は同スキャナリッドを閉じた状態の斜視図。
【図２】（ａ）は同スキャナのヒンジ部及びリッド付勢用バネの構成を示す部分拡大斜視図、（ｂ）は同部分拡大断面図。
【図３】（ａ）は同スキャナのフックの構成を示す部分拡大斜視図、（ｂ）は同分解斜視図、（ｃ）は同フックを上下方向にスライド自在にしたときの斜視図、（ｄ）は同フックを長くしたときの斜視図。
【図４】（ａ）は同スキャナのスキャナリッドの開閉構造を示すフックを係止しているときの部分拡大断面図、（ｂ）は同フックの係止を解除したときの部分拡大断面図。
【符号の説明】
【００３７】
１    スキャナ
２    原稿台
３    スキャナリッド
４    画像読取装置
５    ペーパレスト
６    キー操作部
７    筐体
８    リッド付勢用バネ（リッド付勢手段）
９    フック（リッド保持手段）
９ａ    嵌着孔
９ｂ    スライド孔
９ｃ    固定孔
９ｄ    係止突部
１０    フックホルダ（リッド保持手段）
１０ａ    傾斜面
１１    ホルダ保持用バネ（リッド保持手段）
１２    押しボタン（リッド開放操作手段）
１２ａ    押圧突部
２０    ヒンジ部
２１    筐体側ヒンジ部
２２    リッド側ヒンジ部
２３    ヒンジピン
３１    フック支持部
３１ａ    支持突部
４１    画像センサ
７１    排紙口
７５    フック孔
７９    ガイド部材
【図１】
2008060983.tif 000003
【図２】
2008060983.tif 000004
【図３】
2008060983.tif 000005
【図４】
2008060983.tif 000006